(57)【要約】      （修正有）【課題】人間と動物とを１枚の写真に容易に収めることができ、動物にストレスを与え難く、及び人間と動物とを１枚の写真に収める機会を容易に与えられる動物用撮影台及び移動撮影車輛を提供する。【解決手段】動物用撮影台１は、動物を載せる台板２と、この台板の周縁に配設される安全柵３と、台板を昇降可能に支持する昇降機構５とを備え、人間と動物とを１枚の写真に収めるために用いられる動物用撮影台である。安全柵が高さ調節可能に配設され、動物を係留する紐状体が結び付けられる係留部材４が台板に突設される。昇降機構を支持する複数の車輪６をさらに備える。移動撮影車輛は、動物用撮影台と、この動物用撮影台に対向して配置されるカメラとを搭載する移動撮影車輛である。【選択図】図１
0003195667.tif 000002
【実用新案登録請求の範囲】
【請求項１】
動物を載せる台板と、
この台板の周縁に配設される安全柵と、
上記台板を昇降可能に支持する昇降機構とを備え、
人間と動物とを１枚の写真に収めるために用いられる動物用撮影台。
【請求項２】
上記安全柵が高さ調節可能に配設される請求項１に記載の動物用撮影台。
【請求項３】
動物を係留する紐状体が結び付けられる係留部材が上記台板に突設される請求項１又は請求項２に記載の動物用撮影台。
【請求項４】
上記昇降機構を支持する複数の車輪をさらに備える請求項１、請求項２又は請求項３に記載の動物用撮影台。
【請求項５】
請求項１から４のいずれか１項に記載の動物用撮影台と、この動物用撮影台に対向して配置されるカメラとを搭載する移動撮影車輛。
【考案の詳細な説明】
【技術分野】
【０００１】
本考案は、動物用撮影台及び移動撮影車輛に関する。
【背景技術】
【０００２】
ユーザーが自ら操作し、自身の写真を撮影してシール等に印刷するシール撮影装置がゲームセンター等に設置されている。このような装置では、一定の身長を有する人間（主に成人女性）を撮影するよう設計されたものが多く、背の低い動物、つまり犬、猫等のペットと人とを一緒に撮影するためには、人がペットを抱え上げるか、踏み台の上にペットを登らせることが必要となる。
【０００３】
しかしながら、室内犬や猫等であれば抱えた状態で撮影することも可能であるが、中型犬や大型犬では、抱え上げた状態を維持して撮影することが容易ではなく、過って落としてペットをけがさせる危険性もある。また、ペットに台を使わせる場合、人間と顔の高さを近づけるためには、よほどの大型動物でない限り相当な高さの台が必要となり、多くの動物がおびえてしまうという問題がある。
【０００４】
そこで、背の低い子供やペット等を撮影するための専用のカメラと、背の高い大人を撮影するための専用のカメラとを設け、これら別々のカメラにより撮影した画像を合成することにより、大人と子供やペットとを１枚の写真に収めるシール撮影装置が提案されている（特許第５２３０２７７号公報参照）。
【０００５】
しかしながら、別々に撮影した写真を使用して合成すると不自然な写真となり易く、一般ユーザーが簡単に自然な写真を合成できるようにすることは困難である。特に、人間と動物とが体を触れ合うような写真を合成しようとすると、極めて不自然な写真となってしまう可能性がある。
【０００６】
また、シール撮影装置が設置されているゲームセンター等には、衛生上の問題によりペット等の動物の立ち入りが認められない場合が多い。このため、動物と一緒に写真撮影することに対するニーズがある。
【先行技術文献】
【特許文献】
【０００７】
【特許文献１】特許第５２３０２７７号公報
【考案の概要】
【考案が解決しようとする課題】
【０００８】
上記不都合に鑑みて、本考案は、人間と動物とを１枚の写真に容易に収めることができ、動物にストレスを与え難い撮影台、及び人間と動物とを１枚の写真に収める機会を容易に与えられる手段を提供することを課題とする。
【課題を解決するための手段】
【０００９】
上記課題を解決するためになされた考案は、動物を載せる台板と、この台板の周縁に配設される安全柵と、上記台板を昇降可能に支持する昇降機構とを備え、人間と動物とを１枚の写真に収めるために用いられる動物用撮影台である。
【００１０】
当該動物用撮影台は、動物が乗った台板を昇降機構によって昇降することができるので、動物の顔の高さを人間の顔の高さの近くに調節することができ、人間と動物とを１枚の写真に容易に収めることができる。また、当該動物用撮影台は、台板の上昇により人が直立状態で写真撮影しながら動物に直接触れることができるので、人と動物とのコミュニケーションの様子を撮影することができる。さらに、当該動物用撮影台は、台板の周縁に安全柵が配設されているので、台板を上昇したときに動物に不安感を与え難く、動物に与えるストレスが小さいので、動物のより自然な表情を写真に収めることができる。
【００１１】
上記安全柵が高さ調節可能に配設されるとよい。このように、上記安全柵が高さ調節可能に配設されることによって、台板に乗せる動物の大きさに合わせて安全柵の高さを調節することで、動物の台板からの転落を防止しながら、安全柵が動物の顔を隠すことがないようにすることができる。
【００１２】
動物を係留する紐状体が結び付けられる係留部材が上記台板に突設されるとよい。このように、動物を係留する紐状体が結び付けられる係留部材が上記台板に突設されることによって、動物の台板からの転落をより確実に防止すると共に、動物の紐状体が取り付けられる部位（典型的には首輪等）の移動をある程度制限することで、動物の動きを制約し、動物をカメラに正対させることが比較的容易となる。
【００１３】
上記昇降機構を支持する複数の車輪をさらに備えるとよい。このように、上記昇降機構を支持する複数の車輪を備えることによって、当該動物用撮影台を移動させることができる。これによって、固定されたカメラに対して動物の位置を調整することができ、動物の大きさ等に合わせて最適な構図を選択できる。
【００１４】
上記課題を解決するためになされた別の考案は、当該動物用撮影台と、この動物用撮影台に対向して配置されるカメラとを搭載する移動撮影車輛である。
【００１５】
当該移動撮影車輛は、当該動物用撮影台と、この動物用撮影台に対向して配置されるカメラとを搭載するので、屋外スペースに駐車して、近隣の住民に気軽にペットと一緒に写真撮影をする機会を提供できる。
【考案の効果】
【００１６】
以上のように、本考案の動物用撮影台は、人間と動物とを１枚の写真に容易に収めることができ、動物にストレスを与え難い。また本考案の移動撮影車輛は、人間と動物とを１枚の写真に収める機会を容易に提供できる。
【図面の簡単な説明】
【００１７】
【図１】本考案の一実施形態の動物用撮影台を示す模式的側面図である。
【図２】図１の動物用撮影台の安全柵の配設構造部分を示す模式的部分拡大斜視図である。
【図３】図１の動物用撮影台を搭載する移動撮影車輛を示す模式的側面図である。
【図４】図３の階段の詳細を示す模式的側面図である。
【考案を実施するための形態】
【００１８】
以下、適宜図面を参照しつつ、本考案の実施の形態を詳説する。
【００１９】
［動物用撮影台］
図１の動物用撮影台１は、カメラの前に配置され、その上に背の低い動物を載置することにより動物と人間との身長差を緩和することで、人間と動物とを１枚の写真に収めるために用いられる。
【００２０】
当該動物用撮影台１を用いて写真を撮影する動物としては、典型的には犬、猫等のペットであるが、動物園等の飼育動物であってもよい。
【００２１】
当該動物用撮影台１は、動物を載せる台板（天板）２と、この台板２の周縁に配設される安全柵３と、台板２の上面から突設され、紐状体が結び付けられる係留部材４と、上記台板２を昇降可能に支持する昇降機構５と、この昇降機構５を支持する複数の車輪６とを備える。
【００２２】
＜台板＞
台板２は、動物が載っても変形及び破損しない強度を有する板材で形成される。このような板材としては、例えば金属、樹脂、木材等が利用でき、衛生性の観点から吸水性のない材料又は表面をコーティングした材料を用いることが好ましい。
【００２３】
台板２の上面には、動物が滑り難いよう、例えば木質板、ゴムシート、人工芝、織布等の表面材２ａが敷設されることが好ましい。このような表面材２ａは、容易に洗浄できるよう、着脱可能に敷設されることが好ましく、洗い替え用に複数用意されることがより好ましい。また、複数色の表面材２ａを用意して、撮影時に色を選択できるようにしてもよい。表面材２ａの色としては、例えば撮影場所の背景色（例えば撮影ブースの壁面の色）に合わせた色、例えば白、黒等の比較的目立ち難い色、例えば青、緑等のクロマキー処理が容易となる色等を挙げることができる。
【００２４】
台板２の平面形状としては、典型的には方形とされるが、例えば円形等の任意の形状とすることもできる。
【００２５】
台板２のカメラから見た奥行きの下限としては、６０ｃｍが好ましく、８０ｃｍがより好ましい。一方、台板２の奥行きの上限としては、１５０ｃｍが好ましく、１００ｃｍがより好ましい。台板２の奥行きが上記下限に満たない場合、当該動物用撮影台１に大型犬等を載せることができないおそれがある。逆に、台板２の奥行きが上記上限を超える場合、当該動物用撮影台１が不必要に大きくなるおそれがある。なお「奥行き」とは、カメラの光軸方向の最大長さを意味する。
【００２６】
台板２の幅の下限としては、３０ｃｍが好ましく、４０ｃｍがより好ましい。一方、台板２の幅の上限としては、８０ｃｍが好ましく、６０ｃｍがより好ましい。台板の幅が上記下限に満たない場合、当該動物用撮影台１に大型犬等を載せることができないおそれがある。逆に、台板の幅が上記上限を超える場合、動物が横を向き易くなり、動物を正面から撮影するのが容易でなくなるおそれがある。なお「幅」とは、カメラの光軸方向に垂直な方向の最大長さを意味する。
【００２７】
台板２の厚さとしては、特に限定されず、台板２を構成する板材の材質等に応じて十分な強度が得られるよう適宜選択される。また、台板２の厚さは一定でなくてもよく、強度を得るために適宜リブ等の補強を設けてもよい。
【００２８】
＜安全柵＞
安全柵３は、台板２の周縁に、例えば台板２の各辺毎に分割して、高さ調節可能に配設される。この安全柵３は、動物が台板２から転落することを防止すると共に、動物に安心感を与えてストレスを軽減し、自然な表情を引き出す。
【００２９】
安全柵３は、例えば棒材、パイプ等を組み合わせて形成される。この安全柵３の材質としては、特に限定されないが、例えば樹脂、金属、木材等の中で比較的軽量で強度を有するものが選択されることが好ましい。
【００３０】
安全柵３の配設方法としては、例として、図２に示すように、安全柵３の上下方向に延在する柱部７に複数の係合孔７ａを設け、台板２の周縁に突設したブラケット８の係止孔８ａに対して任意の位置の係合孔７をピン９によって係止する方法が挙げられる。他にも、キャリーバッグ等に採用されるようなテレスコピック構造などを適用してもよい。
【００３１】
安全柵３の最小高さの下限としては、３ｃｍが好ましく、５ｃｍがより好ましい。一方、安全柵３の最小高さの上限としては、１５ｃｍが好ましく、１０ｃｍがより好ましい。安全柵３の最小高さが上記下限に満たない場合、安全柵３の配設構造が複雑となるおそれがある。逆に、安全柵３の最小高さが上記上限を超える場合、小型の動物の顔が安全柵３によって部分的に隠されるおそれがある。
【００３２】
安全柵３の最大高さの下限としては、１５ｃｍが好ましく、２０ｃｍがより好ましい。一方、安全柵３の最大高さの上限としては、５０ｃｍが好ましく、３０ｃｍがより好ましい。安全柵３の最大高さが上記下限に満たない場合、比較的大型の動物の転落防止効果及びストレス低減効果が不十分となるおそれがある。逆に、安全柵３の最大高さが上記上限を超える場合、安全柵３が重くなり、高さ調節が容易でなくなるおそれがある。
【００３３】
また、安全柵３は、一部を開閉可能に配設されることが好ましい。安全柵３の開閉構造としては、特に限定されず、例えばヒンジ止めされた外側横開きの扉構造、フック等で両側部分に係止される着脱構造、最大高さを略ゼロとすることができる構造などを採用することができる。
【００３４】
＜係留部材＞
係留部材４は、動物を係留する紐状体、典型的には首輪に接続されるリードが結び付けられるよう形成される。係留部材４に動物を係留することで、動物の台板２からの転落防止をより確実にすると共に、動物の体の動きを制約して動物にカメラの方を向かせやすくする効果も得られる。
【００３５】
係留部材４の配設位置としては、台板２の前縁近傍が好ましい。また、係留部材４は複数、好ましくは幅方向に分散して配設してもよい。これにより複数の動物を同時に撮影したり、動物を台板２の側縁側に寄せて人間との距離を近づけたりすることが容易となる。
【００３６】
係留部材４の形状としては、例えば図１に示すように棒状の部材を屈曲して両端を台板２に固定した半円状又は逆Ｕ字状、屈曲した棒状の部材の一端を台板２に固定したフック状、直立した棒状の部材の頂部が拡幅又は拡径した形状等を採用することができる。また、係留部材４の形状として、例えばカラビナ等のように環状の部材の一部を開閉可能としたものを採用することもできる。
【００３７】
係留部材４の大きさとしては、環状部分又は棒状部分に紐状体を結び付けることができればよい。具体的には、係留部材４の紐状体を結び付ける部分の高さの下限としては、２ｃｍが好ましく、３ｃｍがより好ましい。一方、係留部材４の紐状体を結び付ける部分の高さの上限としては、８ｃｍが好ましく、５ｃｍがより好ましい。係留部材４の紐状体を結び付ける部分の高さが上記下限に満たない場合、紐状体を結び付ける作業が容易でなくなるおそれがある。逆に、係留部材４の紐状体を結び付ける部分の高さが上記上限を超える場合、小型の動物を撮影する際に係留部材４が動物の顔の一部を隠してしまうおそれがある。
【００３８】
係留部材４の材質としては、強度を有するものであればよいが、金属とすることが好ましい。また、係留部材の固定方法としては、例えばボルト締め、溶接等を挙げることができる。
【００３９】
＜昇降機構＞
昇降機構５は、台板２の高さを調節するために配設される。
【００４０】
昇降機構５により支持される台板２の床面からの最小高さの下限としては、２０ｃｍが好ましく、３０ｃｍがより好ましい。一方、台板２の床面からの最小高さの上限としては、７０ｃｍが好ましく、５０ｃｍがより好ましい。台板２の床面からの最小高さが上記下限に満たない場合、昇降機構５の設計が困難となったり、当該動物用撮影台１が過度に高価となるおそれがある。逆に、台板２の床面からの最小高さが上記上限を超える場合、動物を台板２上に載せることが容易でなくなるおそれがある。
【００４１】
昇降機構５により支持される台板２の床面からの最大高さの下限としては、１ｍが好ましく、１．２ｍがより好ましい。一方、台板２の床面からの最大高さの上限としては、１．７ｍが好ましく、１．５ｍがより好ましい。台板２の床面からの最大高さが上記下限に満たない場合、小型の動物を撮影する場合に動物の顔の高さが不十分となるおそれがある。逆に、台板２の床面からの最大高さが上記上限を超える場合、当該動物用撮影台１が不必要に大型化したり、高価となったりするおそれがある。
【００４２】
昇降機構５の構造としては、特に限定されず、例えば図１に示すようなクロスアーム（パンタグラフ状構造）、多段テレスコピックシリンダ等を採用することができる。また、昇降機構５として、当該動物用撮影台１の一方側に支柱を備え、この支柱に台板２を支持する構造を設けたものとしてもよい。
【００４３】
昇降機構５の駆動方法としては、例えば送りねじ、ラックアンドピニオン、ウィンチ等を用いる機械式、シリンダ等を用いる油圧式又は空圧式とすることができる。これらの動力源（油圧式又は空圧式の場合油圧ポンプ又はエアーコンプレッサーの駆動源）としては、例えばハンドル、ペダル等の操作により入力される人力、回転軸を介して入力する電気モーター、内燃エンジン等を用いることができる。
【００４４】
昇降機構５の昇降操作は、上記動力源を直接操作してもよく、図１に示すように昇降機構５に配設した操作部５ａのボタン等の操作によって行ってもよく、カメラ近傍に配設した操作部により遠隔操作してもよい。
【００４５】
さらに、この昇降機構５は、少なくともカメラ側の側面がシート又はカーテンで覆われることが好ましい。このように、シート又はカーテンで昇降機構５の機械構造を隠すことにより、撮影した写真に昇降機構５が映り込む不自然さを緩和することができる。このために、上記シート又はカーテンは、例え撮影場所の背景色に合わせた色、例えば白、黒等の比較的目立ち難い色、例えば青、緑等のクロマキー処理が容易となる色に着色されることが好ましい。
【００４６】
＜車輪＞
車輪６は、昇降機構５の底面に分散して、好ましくは四隅近傍に配設される。
【００４７】
車輪６としては、外周がナイロン、ウレタン等の樹脂で形成されたものが好ましいが、特に床面に当該動物用撮影台１の移動を案内するレールを配設する場合には、金属製の車輪が好適に使用される。
【００４８】
また、車輪６は、回転軸の向きを変えられるように昇降機構５の底面に取り付けられてもよい。このように回転軸の向きを変えられる車輪としては、市販のキャスターを用いることができる。
【００４９】
また、当該動物用撮影台１は、この車輪６の少なくともいずれか、望ましくは２つ以上の回転を係止するストッパーを備えることが好ましい。このようなストッパーと車輪とを一体化したものとして、市販のキャスターを使用することができる。
【００５０】
＜利点＞
当該動物用撮影台１は、動物が乗った台板２を昇降機構５によって昇降することができるので、動物の顔の高さを当該動物用撮影台１の隣に立つ人間の顔の高さの近くに調節することができ、人間と動物とを１枚の写真に容易に収めることができる。
【００５１】
また、当該動物用撮影台１は、台板２の上昇により直立した人間が動物に直接触れた状態で写真に写ることができ、人と動物とのコミュニケーションの様子を容易に撮影することができる。
【００５２】
また、当該動物用撮影台１は、台板２の周縁に安全柵３が配設されているので、台板２を上昇したときに動物に不安感を与え難く、動物に与えるストレスが小さいので、動物のより自然な表情を写真に収めることができる。
【００５３】
また、当該動物用撮影台１では、安全柵３が高さ調節可能に配設されるので、台板２に乗せる動物の大きさに合わせて安全柵３の高さを調節することができ、動物の台板２からの転落を防止しながら、撮影される写真において安全柵３が動物の顔を隠すことがないようにすることができる。
【００５４】
また、当該動物用撮影台１では、動物を係留する紐状体が結び付けられる係留部材４が台板２に突設されているので、動物の台板２からの転落をより確実に防止すると共に、動物の大まかな向きを定めることができ、動物をカメラに正対させることが容易となる。
【００５５】
当該動物用撮影台１は、昇降機構５を支持する複数の車輪６を備えることによって、容易に移動できる。これによって、固定されたカメラに対して動物の位置を調整し、動物の大きさ等に合わせて最適な構図を選択できる。
【００５６】
［移動撮影車輛］
図３の移動撮影車輛は、例えばトラックを改造してなり、荷台上にパネルやカーテン等で囲われた撮影ブース１０が形成されている。なお、図３では、内部が分かり易いように手前側のパネルを除去した様子を図示している。
【００５７】
当該移動撮影車輛は、撮影ブース１０内に、図１の動物用撮影台１と、この動物用撮影台１に対向して配置されるカメラ１１と、このカメラ１１の操作及び撮影した画像の編集等を行う操作盤１２とを搭載する。
【００５８】
また、当該移動撮影車輛は、図示するように、移動可能な階段１３と、エアーコンディショナー１４と、空気清浄器１５とを搭載することが好ましい。また、当該移動撮影車輛は、撮影ブース１０の入口（二点鎖線で図示）へのアクセスを提供するために当該移動撮影車輛に隣接して配置される外階段１６をさらに積載できることが好ましい。
【００５９】
当該移動撮影車輛のベースとされるトラックは、好ましくは低床タイプ、より好ましくはアルミバンタイプ又はウィングタイプのトラックとされる。トラックの積載量としては、いわゆる２トンクラスとすることができる。
【００６０】
＜撮影ブース＞
撮影ブース１０は、いわゆるアルミバンのボディを利用して構成してもよく、アルミバンのボディ内にさらにパネル等を用いて形成してもよく、いわゆる平ボディの上にパネル等を用いて走行時の風圧に耐えられるよう形成してもよい。
【００６１】
撮影ブース１０の内部空間の大きさとしては、特に限定はされないが、幅１．５ｍ以上２ｍ以下、長さ２．５ｍ以上３．５ｍ以下、高さ２ｍ以上２．５ｍ以下とすることができる。
【００６２】
＜カメラ及び操作盤＞
カメラ１１及び操作盤１２としては、一般的なシール撮影装置のユニットをそのまま使用することができる。これらカメラ１１及び操作盤１２は、撮影ブース１０の長手方向一端側に、カメラ１１の光軸が撮影ブース１０の長手方向となるよう配設される。
【００６３】
カメラ１１から当該動物用撮影台１の前縁までの水平距離としては、例えば０．５ｍ以上１．５ｍ以下とすることができる。当該動物用撮影台１は、前後左右に移動可能とされてもよく、レール又はガイドに沿って前後方向（カメラ１１の光軸方向）又は左右方向（カメラ１１の光軸方向に垂直な方向）にのみ移動可能に配設されてもよい。
【００６４】
操作盤１２又はその近傍には、例えばアルコール消毒スプレー、消毒ハンドジェル、ウェットティッシュ、ペーパータオル等を載置するスペース、例えば棚等を設けることが好ましい。
【００６５】
＜階段＞
階段１３は、当該動物用撮影台１の台板２上に動物を載せるために使用される。この階段１３は、両側に転落防止柵１３ａが設けられることが好ましく、かつ容易に移動できるよう底部に複数のキャスター（車輪）１３ｂを有することが好ましい。
【００６６】
階段１３の材質としては、例えば木材、金属、プラスチック等が挙げられ、中でも木材が軽量で十分な強度を得られる点で好ましい。
【００６７】
階段１３の最大高さ（最上段の床面からの高さ）の下限としては、２０ｃｍが好ましく、３０ｃｍがより好ましい。一方、階段１３の最大高さの上限としては、１ｍが好ましく、８０ｃｍがより好ましい。階段１３の最大高さが上記下限に満たない場合、動物が台板２上に自力で昇ることができないおそれがある。逆に、階段１３の最大高さが上記上限を超える場合、動物を台板２に載せる際に撮影時よりも高い位置まで昇る必要が生じ、動物に不必要なストレスを与えるおそれがある。
【００６８】
階段１３の平均有効幅の下限としては、３０ｃｍが好ましく、３５ｃｍがより好ましい。一方、階段１３の平均有効幅の上限としては、８０ｃｍが好ましく、７０ｃｍがより好ましい。階段１３の平均有効幅が上記下限に満たない場合、大型の動物が昇ることが容易でないおそれがある。逆に、階段１３の平均有効幅が上記上限を超える場合、撮影時に階段を撮影範囲外に置くために大きなスペースが必要となるおそれがある。
【００６９】
階段１３の各段の段差の下限としては、５ｃｍが好ましく、１０ｃｍがより好ましい。一方、階段１３の各段の段差の上限としては、２０ｃｍが好ましく、１５ｃｍがより好ましい。階段１３の各段の段差が上記下限に満たない場合、階段１３の長さが大きくなり過ぎるおそれがある。一方、階段１３の各段の段差が上記上限を超える場合、小型の動物が昇れなくなるおそれがある。
【００７０】
階段１３の各段の奥行きの下限としては、１５ｃｍが好ましく、２０ｃｍがより好ましい。一方、階段１３の各段の奥行きの上限としては、５０ｃｍが好ましく、４０ｃｍがより好ましい。階段１３の各段の奥行きが上記下限に満たない場合、大型の動物が昇り難くなるおそれがある。逆に、階段１３の各段の奥行きが上記上限を超える場合、階段１３の全長が大きくなり過ぎるおそれがある。
【００７１】
（転落防止柵）
転落防止柵１３ａの平均高さ（各段の奥行き中央における高さの平均）の下限としては、５ｃｍが好ましく、１０ｃｍがより好ましい。一方、転落防止柵１３ａの平均高さの上限としては、３０ｃｍが好ましく、２５ｃｍがより好ましい。転落防止柵１３ａの平均高さが上記下限に満たない場合、動物の転落を十分に防止できないおそれがある。逆に、転落防止柵１３ａの平均高さが上記上限を超える場合、階段１３が不必要に大型化するおそれがある。
【００７２】
（キャスター）
キャスター１３ｂとしては、車輪を有する公知のものが使用される。このキャスター１３ｂを設けることによって、階段１３の移動が容易となり、撮影時に階段１３を写真に写らない場所に移動して写真撮影を行うことができる。
【００７３】
＜エアーコンディショナー＞
当該移動撮影車輛は、屋外で使用されるため、公知のエアーコンディショナー１４が設置され、ブース１０内の温度が一定の範囲内に調節されることが好ましい。
【００７４】
＜空気清浄器＞
また、当該移動撮影車輛は、ブース１０内に動物が出入りするので、臭気を抑制するために、１又は複数の公知の空気清浄器１５、特に脱臭能力に優れるものが設置されることが好ましい。
【００７５】
＜外階段＞
外階段１６は、当該移動撮影車輛が駐車する地面と撮影ブース１０の床面との間の昇り降りを容易にするために配置される。このため、当該移動撮影車輛は、移動時にはこの外階段１６を積載できるスペースを備えることが好ましい。
【００７６】
＜利点＞
当該移動撮影車輛は、当該動物用撮影台１と、この動物用撮影台１に対向して配置されるカメラ１１とを搭載するので、屋外スペースに駐車して、近隣の住民に気軽にペットと一緒に写真撮影をする機会を提供できる。
【００７７】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００７８】
例えば、当該動物用撮影台において、安全柵は台板に対して固定されてもよい。
【００７９】
また、当該動物用撮影台において、係留部材は安全柵に設けてもよく、省略することもできる。
【００８０】
また、当該動物用撮影台は、車輪を有しないものであってもよく、床に固定されてもよい。
【００８１】
また、当該動物用撮影台において、車輪にストッパーを設ける替わりに、例えばゴム等を床に押し当てることにより昇降機構と床との間に摩擦を生じさせる構造や、車輪を床から浮かせるよう昇降機構を持ち上げることができる可動脚等を設けてもよい。
【００８２】
当該移動撮影車輛において、階段、エアーコンディショナー、空気清浄器は、必ずしも必要ではない。特に、当該動物用撮影台の台板の最小高さが十分に小さければ、比較的大きなスペースを占有する階段はむしろない方がよい場合もある。
【００８３】
また、当該移動撮影車輛は、上記撮影ブース１０以外にも、待合スペース、動物に衣服、帽子、メガネ等を着用させるためのスペース等を有してもよい。
【産業上の利用可能性】
【００８４】
本考案の動物用撮影台は、動物を撮影するために広く利用できるが、カメラが設置されたブース内で写真を撮影するシール撮影装置において特に好適に利用することができる。また、本考案の移動撮影車輛は、任意の場所において写真撮影サービスを提供するために利用することができる。
【符号の説明】
【００８５】
１  動物用撮影台
２  台板
２ａ  表面材
３  安全柵
４  係留部材
５  昇降機構
５ａ  操作部
６  車輪
７  柱部
７ａ  係合孔
８  ブラケット
８ａ  係止孔
９  ピン
１０  撮影ブース
１１  カメラ
１２  操作盤
１３  階段
１３ａ  転落防止柵
１３ｂ  キャスター
１４  エアーコンディショナー
１５  空気清浄器
１６  外階段
【図１】
0003195667.tif 000003
【図２】
0003195667.tif 000004
【図３】
0003195667.tif 000005
【図４】
0003195667.tif 000006